(57)【要約】【課題】高所に設置した空気調和機の室内ユニットにおいて、フロントパネルおよび上部空気吸込みパネルを室内ユニットから安全に取り外して、エアフィルターおよび室内ユニット内の熱交換器、その他の機器を容易に清掃できるようにする。【解決手段】箱体内部に熱交換器、送風機等の機能部品を収納し、外観意匠を形成する前面部のフロントパネル、上面部の上部空気吸込みパネル、下面部の吹出しユニット等を有し、前面部のフロントパネルが２段階に回動可能な空気調和機の室内ユニットにおいて、室内ユニット上面部の上部空気吸込みパネルを取り外し可能にし、上部空気吸込みパネルの奥側部分を水平に構成し、手前側部分を手前側に低くして斜めに傾斜させて構成した。【選択図】　図８
2004101149.tif 000002
【特許請求の範囲】
【請求項１】
室内ユニット箱体内部に収納された熱交換器及び送風機と、外観意匠を形成する前面部のフロントパネルと、上面部に設けられた上部空気吸込みパネルと、下面部の吹出しユニットとを備えた空気調和機において、前記前面部のフロントパネルを２段階に回動させる機構と、室内ユニット上面部の上部空気吸込みパネルを着脱するスライド機構とを備えた空気調和機。
【請求項２】
請求項１において、前記上部空気吸込みパネルがスライドして挿入されるスライド機構の奥側部分を水平に、手前側部分を手前側に低くして斜めに傾斜させた空気調和機。
【請求項３】
請求項１において、前記フロントパネルを回動させてフロントパネルの上端部が前記室内ユニット本体から離間させて前記上部空気吸込みパネルを取り外せるようにした空気調和機。
【請求項４】
請求項３において、前記上部空気吸込みパネルが自重で自然にスライドしたときに、第一回動の停止位置で停止しているフロントパネルに当接させることで前記上部空気吸込みパネルを停止させるようにした空気調和機。
【請求項５】
請求項３において、前記フロントパネルは第二回動の任意な位置で停止させることができるものであり、このフロントパネルを前記任意の位置で停止させて前記上部空気吸込みパネルを取り外すことができるようにした空気調和機。
【発明の詳細な説明】
【０００１】
【発明の属する技術分野】
本発明は空気調和機の室内ユニットに関するもので、特に高所に配置された室内ユニットの上部空気吸込みパネルの取り外し機構に係わるものである。
【０００２】
【従来の技術】
空気調和機の室内ユニットは、室内ユニットの後部を構成する樹脂で成形された箱体本体と、室内ユニットの前面部を構成する化粧カバー本体と、室内ユニットの下面部を構成する吹出しユニットで構成されている。そして、箱体本体には空気調和機の機能部品である熱交換器や送風機、その他の機器が組みこまれていて、化粧カバー本体には正面から室内空気を吸いこむフロントグリルと上面部から室内空気を吸いこむ上部空気吸い込みグリルが設けられ、それらのグリルに対応してエアフィルターが収納されている。また吹出しユニットには、熱交換器で温湿度を調和された空気が流れる吹出し風路が構成されていて、吹出し風路の吹出し口の近傍には風の流れを偏向する風向偏向板が設けられている。そして、正面部のフロントグリルや上面部の上部空気吸込みグリルから室内ユニットに吸いこまれた室内空気は、エアフィルターで塵や埃を取りのぞかれ、熱交換器で温湿度を調和され、送風機で吹出し風路内に送りだされ、風向偏向板で風の流れを偏向されて空気吹出し口から再び室内に吹きだされてくる。
【０００３】
一般に空気調和機の室内ユニットは、室内壁面の天井に近い高所に設置されていて、その高所から吹き出す温湿度を調和した空気で、人が生活する室内空間を快適な生活環境に調和してゆくものである。そして室内空気から取りのぞいた塵や埃がエアフィルターに蓄積するのでエアフィルターは定期的に清掃する必要がある。また長い間使用することにより熱交換器や送風機にも埃が付着するので、エアフィルターと同様に熱交換器や送風機も時々清掃する必要がある。しかし空気調和機の室内ユニットは先にも説明したように、室内壁面の天井部に近い高所に設置されているので、踏み台や脚立等上にあがって不安定な状態で清掃をしなければならなかった。
【０００４】
これらの清掃や取り扱いの作業性を改善するために、フロントパネルを回転させて室内ユニットの全面下部に垂下させ、エアフィルターや熱交換器の清掃性の改善を図っている。しかし最近の室内ユニットは省エネルギー、高効率化を目指しているので、できるだけ大きな伝熱面積の熱交換器を比較的小さな室内ユニットに組み込む必要が生じている。そのため熱交換器を複数個に分割して、室内ユニットの前面側だけでなく室内ユニットの上面側にも組み込んでいる。室内ユニットの前面側だけに熱交換器が組み込まれている場合は、フロントパネルとエアフィルターを取り外すだけで熱交換器を清掃することができたが、室内ユニットの上面側に熱交換器が組み込まれている場合には、フロントパネルとエアフィルターを取り外しただけでは室内ユニットの上面側に組み込まれた熱交換器を清掃することはできない。この場合には室内ユニット上面部の上部空気吸込みパネルを取り外す必要性が生じてくる。
【０００５】
特開平１１−２３０００号公報（従来技術）には、室内ユニット上面部の化粧枠に、コ字状の取り付け用ガイドレールを設け、エアフィルターが取り付けられた上部空気吸込みパネルをガイドレールに係合させて取り付けると共に、手前に引き出すことにより上部空気吸込みパネルを取り外すことが記載されている。そして、この構成により上部吸込みパネルとエアフィルターの清掃を容易にすることができるというものである。
【特許文献１】
特開平１１−２３０００号公報（図２）
【０００６】
【発明が解決しようとする課題】
先に説明したように空気調和機の室内ユニットは、一般に室内壁面の天井部に近い高所に設置されているため、フロントパネルや上部空気吸込みパネルを取り外す場合には、不安定な踏み台や脚立の上にあがって不安定な状態でフロントパネルや上部空気吸込みパネルを取り外し、また不安定な状態で室内ユニットに組み込まれた熱交換器を清掃しなければならなかった。
【０００７】
本発明はフロントパネルを２段階に回動可能にして取り外すことのできる室内ユニットにおいて、室内ユニット上面部の取り外し可能な上部空気吸込みパネルの取り付け、取り外しの際に、不安定な踏み台や脚立等の上にのって作業する作業者の頭部や顔面に、上部空気吸込みパネルが急激に接近してくることを防止し、安全にして、かつ確実に上部空気吸込みパネルの取り付け、取り外し作業が行なえるようにするものである。
【０００８】
また本発明の別な目的とするところは、室内ユニットの外観意匠を視覚的に小さく見えるようにして、室内壁面の高所に設置された室内ユニットから生活空間に与える圧迫感をできるだけ少なくすることにある。
【０００９】
【課題を解決するための手段】
上記目的は、室内ユニット箱体内部に収納された熱交換器及び送風機と、外観意匠を形成する前面部のフロントパネルと、上面部に設けられた上部空気吸込みパネルと、下面部の吹出しユニットとを備えた空気調和機において、前記前面部のフロントパネルを２段階に回動させる機構と、室内ユニット上面部の上部空気吸込みパネルを着脱するスライド機構とを備えることにより達成される。
【００１０】
特に、前記上部空気吸込みパネルがスライドして挿入されるスライド機構の奥側部分を水平に、手前側部分を手前側に低くして斜めに傾斜させたものである。
【００１１】
また、前記フロントパネルを回動させてフロントパネルの上端部が前記室内ユニット本体から離間させて前記上部空気吸込みパネルを取り外せるようにしたものである。
【００１２】
また、前記上部空気吸込みパネルが自重で自然にスライドしたときに、第一回動の停止位置で停止しているフロントパネルに当接させることで前記上部空気吸込みパネルを停止させるようにしたものである。
【００１３】
また、前記フロントパネルは第二回動の任意な位置で停止させることができるものであり、このフロントパネルを前記任意の位置で停止させて前記上部空気吸込みパネルを取り外すことができるようにしたものである。
【００１４】
【発明の実施の形態】
以下、本発明の詳細について一実施例をもとに図により説明する。
【００１５】
図１は本発明による空気調和機の一実施例による断面説明図、図２は同実施例による空気調和機の運転停止時の外観図、図３は同実施例による空気調和機の運転時の外観図、図４は同実施例による空気調和機の運転時の別な外観図、図５は空気調和機を運転した場合の室内空気の流れ説明図、図６はフロントパネルを最大に開放した外観図、図７はフロントパネルを取り外し、上部空気吸込みパネルを引きだし、吹出しユニットを開放した外観図、図８は上部空気吸込みパネルの説明図である。
【００１６】
図１において、１は箱体本体、２は化粧カバー本体、３は吹出しユニット、４はフロントパネル、５は上部空気吸込みパネル、６はエアフィルター、７は熱交換器、８は送風機、９は露受皿、１０は吹出し風路、１１は左右風向偏向板、１２は上下風向偏向板、１３はヒンジ、１４は２軸ヒンジを示している。そして、位置ａのフロントパネル４はフロントパネルが閉じた状態を示し、位置ｂのフロントパネル４は第一回動で停止した状態を示し、位置ｃのフロントパネル４は最大に開放した状態を示している。また、位置ｄの上下風向偏向板１２は空気調和機が運転を停止している状態を示し、位置ｅの上下風向偏向板１２は空気調和機が運転をしている状態を示している。
【００１７】
本実施例における空気調和機の室内ユニットは次のように構成されている。すなわち、箱体本体１と化粧カバー本体２および吹出しユニット３とで室内ユニットを構成している。箱体本体１には複数に分割された熱交換器７および本図では明記していないがその他の冷凍サイクル部品や電気品等と、送風機８が組みこまれている。また化粧カバー本体２の正面部は、室内ユニットの外観意匠の美観を向上させるため表面の凹凸をなくしてフラットな面で形成されたフロントパネル４が設けられていて、フロントパネル４は下端部に設けた回動機構の２軸ヒンジ１４を介して回動できるように取り付けられている。そして化粧カバー本体２の上面部には、室内空気を吸いこむ上部空気吸込みパネル５がスライドして取り外せるように組みこまれている。またフロントパネル４や上部空気吸込みパネル５の内側に対応して、エアフィルター６が熱交換器７を被うように化粧カバー本体２に取り外し可能な状態で組みこまれている。フロントパネル４を開放してエアフィルター６の下端部を指でつまんで引きおろすことにより、エアフィルター６は化粧カバー本体２から容易に取り外すことができるようになっている。また、室内ユニットの下面部には、左右風向偏向板１１、上下風向偏向板１２を組みこんだ吹出し風路１０を有する吹出しユニット３が箱体本体１にヒンジ１３を介して回動可能に取り付けられている。
【００１８】
そして本実施例の取り外し可能な上部空気吸込みパネル５は、図８、図９に示すように、上部空気吸込みパネル５の奥側部分ｄ１を水平にし、手前側部分ｄ２を手前側に高さｈ分低くして斜めに傾斜させた形状になっている。上部空気吸込みパネル５の手前側を低くくしたことにより、単純な平面状で室内ユニットに水平に組み込んだ場合に対し、生活空間から見上げた室内ユニットの視覚的な大きさをより小さく見せることができる。室内ユニットの大きさが小さく見えるため、室内の上部空間から室内ユニットが生活空間に与える圧迫感が少なくなり生活環境を改善することができる。
【００１９】
図２は空気調和機が運転を停止している状態の室内ユニットの外観図である。壁面の上部に設置されて視覚的に小さく見える室内ユニットは、その前面部を表面の凹凸をなくしたフラットな面で構成されたフロントパネル４で被われ、下面部は吹出し風路１０を遮蔽するやはり凹凸のないフラットな面で構成された上下風向偏向板１２で被われている。外観全体に凹凸のないフラットでシンプルな意匠の室内ユニットは、室内上部空間から生活空間に与える圧迫感が少なくなるとともに、シンプルな意匠により室内に配置した他の家具や調度品と違和感なく調和させることができるようになる。
【００２０】
図３は空気調和機を運転している状態の室内ユニットの外観図、図４は空気調和機を運転しているときの室内ユニットの別な状態の外観図、図５は空気調和機を運転した場合の室内空気の流れ説明図である。
【００２１】
室内ユニットの電源をオンにして空気調和機を運転すると、送風機８が回転して室内空気を上部空気吸込みパネル５から室内ユニット内に吸いこみ、エアフィルター６で空気中の塵や埃を取りのぞき、吸い込んだ室内空気の温湿度を熱交換器７で調和することになる。そして調和された室内空気は、送風機８を貫流して吹出し風路１０に送りだされ、左右風向偏向板１１や上下風向偏向板１２で空気の流れを偏向されて、塵や埃を取りのぞいた温湿度の調和された空気として再び室内に吹きだされる。この室内空気の流れを繰りかえすことにより室内空間が、人が生活するために快適な状態に調和されてゆくことになる。
【００２２】
そして本実施例の室内ユニットでは、フロントパネル４を第一回動で図５の位置ａから位置ｂに開放して停止することができるので、フロントパネル４を位置ｂに開放した状態で空気調和機を運転することができる。その場合には図５の実線矢印の上部空気吸込みパネル５からだけでなく、位置ｂに開放したフロントパネル４の上方部からも破線矢印のように、室内空気を吸い込むことができるようになる。破線矢印のように室内空気を吸い込むことにより、いままで露受皿９の近くに配置されていて室内空気が流れにくかった熱交換器７ａの下半部分にも、破線矢印で示すように室内空気が流れるようになり、熱交換器７ａが効果的に機能し、熱交換器７全体としての熱交換効率が向上する。その結果、空気調和機の冷房能力や暖房能力が増加することになる。フロントパネル４を位置ｂに開放して空気調和機を運転することは、室内空間を短時間で急速に冷暖房するような場合の運転に適している。しかもフロントパネル４を位置ｂに開放した状態で運転していても、生活空間から室内ユニットを見あげた場合、室内ユニットの内部はフロントパネル４で遮られて見えないので外観意匠の美観を損なうことがない。
【００２３】
空気調和機を長い時間運転していると、先にも説明したようにエアフィルター６は室内空気中の塵や埃を取りのぞく部品であるため、エアフィルター６の表面に塵や埃が蓄積して室内空気の通りが悪くなり、熱交換器７と熱交換する室内空気の吸いこみ量が減少し、結果として空気調和機の効率が悪くなる。また、エアフィルター６に塵や埃を蓄積したまま運転をつづけると、空気調和機の効率が悪くなるばかりでなく、エアフィルター６で取りきれなくなった塵や埃が室内ユニット内部に侵入して熱交換器７に付着し、熱交換器７の熱交換効率を悪くし、空気調和機の性能を低下させることになる。
【００２４】
これを防止するため、定期的にエアフィルター６を清掃する必要がある。しかし空気調和機の室内ユニットは室内壁面の天井部に近い高所に設置されているので、エアフィルー６を清掃するためには踏み台や脚立等の上にあがって不安定な状態でエアフィルター６を取り外さなければならない。
【００２５】
本実施例では、エアフィルター６の取り外し作業性や清掃性を容易にするため、室内ユニット前面部のフロントパネル４を回動可能な状態で室内ユニットに組み込み、フロントパネル４を一気に開放するのでなく、２段階に分けて回動させ、第一回動でフロントパネル４の回動を一旦停止させている。すなわち、フロントパネルは本体下部に軸支（図では２軸ヒンジではあるが１軸でも良い）され、この軸を中心に上部が本体から離れるように回動する。そして、フロントパネル４が閉じているときのフロントパネル４の上端部が約１８０度反転して下になることで開く。そして、この状態でフロントパネル４を回動させて取り外すことにより、エアフィルター６や吹出しグリル３の清掃性は向上するが、本実施例の目的とするところはさらに室内ユニットに組み込んだ熱交換器の清掃作業性を容易にすることにある。そのため２段階に回動するフロントパネル４を組み込んだ室内ユニットの上部空気吸込みパネル５を、スライドさせて取り外せるようにするとともに、上部空気吸込みパネル５の取り外し時および取り付け時の作業性を容易で確実な構成にしている。
【００２６】
フロントパネル４を開放するには室内ユニットが壁面高所に取り付けられているので、不安定な踏み台や脚立等の上にあがって作業をしなければならない。そしてさらにそれよりも上にある室内ユニット最上部の上部空気吸込みパネル５は、不安定な踏み台や脚立等の上にあがっても上部空気吸込みパネル５全体を見通すことができないので、感に頼る作業となりやすい。そのためエアフィルター６を清掃するにあたって室内ユニット前面部のフロントパネル４を開放するときに、一気に開放させるのでなく、フロントパネル４を２段階に分けて回動させている。すなわち第一回動では、不安定な踏み台や脚立等の上にあがって、エアフィルター６の取り外しをする作業者の頭部や顔面に向かって回動してくるフロントパネル４を、図１に示す位置ｂで一旦停止させて作業者の頭部や顔面にあたらないようにしている。そして更にフロントパネル４を位置ｂから位置ｃまで開放する第二回動で、フロントパネル４は作業者に向って突出してくることになる。そのため第二回動では、回動に制動力をかけてフロントパネル４が慣性力で急激に回動しないようにしている。
【００２７】
これにより、フロントパネル４は位置ｂで一旦停止するのでエアフィルター６の取り外しをする作業者に向って急激に接近することがなく、取り外しをする作業者の頭部や顔面を直撃することがない。また第一回動では制動力をかけていないので、化粧カバー本体２に係合しているフロントパネル４を化粧カバー本体２から引きはなす最初の開放力を小さくすることができる。そして一旦停止した状態から更にフロントパネル４を開放するためには、室内ユニットから突出しているフロントパネル４の一部に手をかけて自分の意志で押しさげることになるので、突出してくるフロントパネル４を意識しながら押しさげるので不安感を感じないで開放することができる。また第二回動時には制動をかけて回動させているので、フロントパネル４が急激に突出したり、室内ユニットの前面下部に急激に垂下したりすることがなく、安心してフロントパネル４を開放することができる。
【００２８】
また第二回動時には、フロントパネル４の回動に制動力がかかっていいるので、フロントパネル４を任意な位置で停止させることができ、その位置でフロントパネル４を取り外すことができるようになっている。これによりフロントパネル４を最大に開放するすることなく、第二回動時の作業しやすい位置でフロントパネル４を取り外せるので、安全性や作業効率を向上させることができる。
【００２９】
第一回動時には制動力がかかっていないので、制動力に対抗する力を加えることなく、化粧カバー本体２に係合している力を越える僅かな力をフロントパネル４に加えるだけで、フロントパネル４を化粧カバー本体２から開放することができる。またフロントパネル４は一旦所定位置ｂで停止するために、フロントパネル４を開放する作業者の頭や顔面にあたることがない。
【００３０】
また第二回動時には制動力がかかっているので、フロントパネル４を開放している作業者にフロントパネル４が不意に突出してくることがない。さらにフロントパネル４を開放する場合は、作業者自身が意識しながらフロントパネル４を押しさげることになるので、フロントパネル４が作業者側に突出してきても突出してくることを認識しているので安全である。フロントパネル４は第二回動の任意の位置で停止するので、フロントパネル４を完全に開放しなくても、取り外し作業のしやすい位置で取り外すことができる。
【００３１】
そして空気調和機をさらに長い間運転していると熱交換器７も汚れてくるので、空気調和機の性能を維持するためには熱交換機７の清掃も必要になってくる。そのため本発明の空気調和機では、室内ユニットの上部空気吸込みパネル５を図７、図８のようにスライドさせて取り外すことができるようにしている。
【００３２】
図１５に示す従来技術においては、エアフィルター３１を前面部と上面部との２部品に分割し、正面部のエアフィルターは前面フロントパネルの下部の隙間から引きだし、上面部のエアフィルター３１は上部空気吸込みパネル３０に装着したまま上部空気吸込みパネル３０と一緒に引きだして抜きとり、エアフィルター３１および上部空気吸込みパネル３０をそれぞれ清掃していた。また上部空気吸込みパネル３０が取り外されることにより、室内ユニットの上部が開放され、開放された空間から室内ユニット内部の熱交換器を清掃することができるようになっていた。
【００３３】
しかし上部空気吸込みパネル３０に対応するエアフィルター３１をフロントパネルと対応するエアフィルターと別部品としていたため、部品点数が増え、エアフィルター３１を製作する金型が増え製品の価格を高くするとともに、エアフィルターを別々に洗わなければならず清掃作業性を悪いものにしていた。
【００３４】
またエアフィルター３１を上部空気吸込みパネル３０と一緒に取り外す作業においても、上部空気吸込みパネル３０は室内ユニットのさらに上部にあるため踏み台や脚立の上にあがっても、上部空気吸込みパネル３０を引きだすために作業をする手元が見えないので、上部空気吸込みパネル３０をスライドさせて引きだすだけでも容易な作業ではなかった。
【００３５】
本実施例の空気調和機では、エアフィルター６は前面部も上面部も一体で成形して、部品点数を少なくして製作金型を少なくし、製造コストを安くして、清掃作業性のよい室内ユニットを提供している。図６に示すようにフロントパネル４を開放することにより、上部空気吸込みパネル５の前面部が室内ユニットの正面に露出するので、上部空気吸込みパネル５が室内ユニットの最上部にあっても作業をする手元を見ながら、上部空気吸込みパネル５を引きだすことができる。また上部空気吸込みパネル５の挿入が不充分な状態でフロントパネル４を開放したときでも、パネルガイド１５から自重でスライドしてきた上部空気吸込みパネル５は、フロントパネル４が一旦停止する第一回動の位置ａでフロントパネル４に当接して停止するので、上部空気吸込みパネル５が不安定な踏み台や脚立等の上にあがって開放作業をしている作業者の頭や顔面を直撃することがない。そして上部空気吸込みパネル５を、図１１のように単純な平面状にして傾斜させて室内ユニットに組み込んだ場合には、突起１６’と突起受け１７’の係合が不充分なときには上部空気吸込みパネル５がその自重によりスライドすることが考えられるが、本実施例の上部空気吸込みパネル５では、図９に示すように上部空気吸込みパネル５の奥側部分ｄ１を水平に構成してきるので、万が一突起１６と突起受け１７の係合が不充分であっても、上部空気吸込みパネル５の水平な奥側部分ｄ１に支えられて自然にスライドすることはない。そして上部空気吸込みパネル５の手前側部分ｄ２が手前側を高さｈ分低くして斜めに傾斜させているため、上部空気吸込みパネル５を支持するパネルガイド１５も同様に、奥側部分に相当するパネルガイド１５ａは水平に構成し、手前側部分に相当するパネルガイド１５ｂを手前側に高さｈ分低くして斜めに傾斜させている。したがって取り外した上部空気吸込みパネル５を取り付ける場合には、図１０のように手前に傾斜したパネルガイド１５ｂの上に上部空気吸込みパネル５の奥側部分ｄ１の先端部をのせて、上部空気吸込みパネル５の手前側を若干上向きに押し込むだけで、上部空気吸込みパネル５はパネルガイド１５ｂをスライドして上昇し、所定の位置に上部空気吸込みパネル５を挿入することができるようになる。上部空気吸込みパネル５の奥側部分ｄ１の先端部をのせるパネルガイド１５ｂが、上部空気吸込みパネル５の水平な奥側部分ｄ１の２点鎖線面より低くなって傾斜しているので、先端部をのせるパネルガイド１５ｂを目で確認でき、また下から作業ができるので挿入が容易になる。図１１の単純な平板状の上部空気吸込みパネル５’を水平にして室内ユニットに組み込んだ図１２の場合には、突起１６’と突起受け１７’の係合が不充分であっても上部空気吸込みパネル５’が自重で自然に落下するようなことはない。しかし一度取り外した上部空気吸込みパネル５’を取り付ける場合、作業者は室内ユニットの天井面に相当する２点鎖線より上の見えないパネルガイド１５’に上部空気吸込みパネル５’の先端部をのせて、手を高く上げたまま勘に頼って上部空気吸込みパネル５’を室内ユニットの奥方向へ押し込まなければならない。上部空気吸込みパネル５’をのせるパネルガイド５’が見えないことにより不安を感じ、また手を伸ばした状態で作業を続けるので上部空気吸込みパネル５’の挿入作業はかなり疲れる作業となる。
【００３６】
また本実施例ではパネルガイド１５に設けた突起１６と、それと係合する上部空気吸込みパネル５に設けた突起受け１７の形状を半円形にして、取り付け、取り外し時の突起の引っ掛かり具合を滑らかにしている。しかし引っ掛かり具合を滑らかにすることは、上部空気吸込みパネル５に何らかの力がかかったときに外れ易いことにもつながる。そのため上部空気吸込みパネル５とパネルガイド１５の引っ掛かりを確実にする方法として、図１３、図１４に示す形状が考えられる。
【００３７】
すなわち図１４に示すように、上部空気吸込みパネル５の上面から見た場合に上部空気吸込みパネル５の側面に突出する形で、側面から見た場合には図１２のようにＬ字状になるＬ字突起受け２０を設けている。そしてパネルガイド１５にはＬ字突起２０と係合する角突起１９を設けている。上部空気吸込みパネル５を室内ユニットに取り付けるときには、図１０に示すと同様に上部空気吸込みパネル５の水平な奥側部分ｄ１の先端部をのせて、上部空気吸込みパネル５の手前側を若干上向きに押し込むことにより、上部空気吸込みパネル５はパネルガイド１５ｂをスライドして上昇する。そしてＬ字突起２０が角突起１９に当接すると、角突起１９の傾斜面に沿ってＬ字突起２０が上昇して角突起１９を乗り越え、図１３のようにＬ字突起２０と角突起１９が係合する。上部空気吸込みパネル５を取り外す場合には、上部空気吸込みパネル５の手前側を角突起１９の高さ分持ち上げてから、上部空気吸込みパネル５を手前に引き下ろして取り外すことになる。
【００３８】
図８のようにフロントパネル４を開放して取り外し、上部空気吸込みパネル５を取り外すと、室内ユニットの前面部と上面部の２面が開放され、さらにエアフィルター６を取り外すと、室内ユニットの上面部は完全に開放されることになるので、熱交換器７を簡単に清掃することができる。
【００３９】
清掃が終わった後、取り外した上部空気吸込みパネル５を化粧カバー本体２に装着する場合には、図９、図１０に示すように傾斜しているパネルガイド１５ｂに上部空気吸込みパネル５の先端部をのせて、上部空気吸込みパネル５を押しこむだけで確実に所定の位置に装着させることができる。しかも先に説明したようフロントパネル４を開放しているため、上部空気吸込みパネル５を押しこむ手元を見ながら押しこめるので安心して作業をすることができる。
【００４０】
そして上部空気吸込みパネル５の挿入が不完全な場合でも、フロントパネル４を閉めることによりフロントパネル４の先端がクッション１８を介して上部空気吸込みパネル５を所定の位置まで押しこむようになるので、上部空気吸込みパネル５の装着状態が不充分なまま空気調和機を運転することはない。そしてフロントパネル４の先端部と上部空気吸込みパネル５の先端部とはクッション１８を介して接触させているので、室内ユニット運転時の僅かな振動で上部空気吸込みパネル５が共振して振動することがなく、上部空気吸込みパネル５がパネルガイド１５との間で騒音を発するようなことがない。
【００４１】
エアフィルター６で室内空気の塵や埃を取りのぞいていても空気調和機を長い間運転していると、送風機８や吹出し風路１０、左右風向偏向板１１、上下風向偏向板１２等に埃が付着してくる。本実施例の空気調和機では、送風機８や吹出し風路１０、左右風向偏向板１１、上下風向偏向板１２等に付着した埃を清掃するときは、図７のようにヒンジ１３を支軸にして吹出しユニット３を室内ユニットの前面下部に回動させて開放する。これにより、吹出しユニット３に組み込まれている吹出し風路１０、左右風向偏向板１１、上下風向偏向板１２等が作業者側に開放されるので、それぞれの部品を簡単に掃除することができる。また吹出しユニット３が開放された空間に送風機８が露出してくるので、送風機８も開放された空間から簡単に清掃することができるようになる。
【００４２】
以上説明したように、本実施例によれば次のような効果が期待される。
【００４３】
フロントパネルが２段階に回動するとともに、室内ユニットから取り外すことのできる室内ユニットにおいて、さらに上部空気吸込みパネルも取り外せるようにしたので、室内ユニットに組み込んだ熱交換器の汚れを簡単に清掃することができ、空気調和機を常に効率よく運転することができる。
【００４４】
上部空気吸込みパネルの奥側吸込みパネル部分を水平に構成し、手前側吸込みパネル部分を手前側に低くして斜めに傾斜させているので、生活空間から室内ユニットを見上げた場合、視覚的に室内ユニットを細く見せることができる。
【００４５】
取り外し可能な上部空気吸込みパネルの奥側吸込みパネル部分を水平に構成しているので、上部空気吸込みパネルの落下防止の係合が不十分であっても、上部空気吸込みパネルの自重を上部空気吸込みパネルの水平で支持し、上部空気吸込みパネルの落下を防止することができる。
【００４６】
取り外し可能な上部空気吸込みパネルの手前側吸込みパネル部分を手前側に低くして斜めに傾斜させていることにより、上部空気吸込みパネルを支持するスライドガイドも同様に手前側部分を斜めに傾斜させて構成しているので、上部空気吸込みパネルを取り付けるときに、上部空気吸込みパネルをのせるスライドガイド部を目で確認することができ、また室内ユニットの下の方から作業ができるので、上部空気吸込みパネルの取り付け作業が確実になり、かつ楽に取り付けることができる。
【００４７】
上部空気吸込みパネルの落下防止の係合が不十分で、かつ上部空気吸込みパネルの水平部分で上部空気吸込みパネルの自重を支持できなくて上部空気吸込みパネルが自重で落下する場合でも、落下する上部空気吸込みパネルを第一回動で一旦停止しているフロントパネルが当接して停止させるので、不安定な踏み台や脚立の上にあがって上部空気吸込みパネルを取り外す作業をしている人の頭部や顔面に、急激に近づくことがなく安全であり、安心して作業をすることができる。
【００４８】
２段階に回動するフロントパネルの第二回動の任意の位置で、フロントパネルを停止させて上部空気吸込みパネルを取り外せるので、作業しやすい位置で上部空気吸込みパネルを取り外して、上部空気吸込みパネル自身の清掃や熱交換器の清掃を効率良く行なうことができる。
【００４９】
【発明の効果】
以上本発明によれば、フロントパネルを２段階に回動可能にして取り外すことのできる室内ユニットにおいて、室内ユニット上面部の取り外し可能な上部空気吸込みパネルの取り付け、取り外しの際に、不安定な踏み台や脚立等の上にのって作業する作業者の頭部や顔面に、上部空気吸込みパネルが急激に接近してくることを防止し、安全にして、かつ確実に上部空気吸込みパネルの取り付け、取り外し作業が行なえるようにすることができる。
【００５０】
また本発明によれば、室内ユニットの外観意匠を視覚的に小さく見えるようにして、室内壁面の高所に設置された室内ユニットから生活空間に与える圧迫感をできるだけ少なくすることができる。
【図面の簡単な説明】
【図１】本発明による空気調和機の一実施例による断面説明図。
【図２】同実施例による空気調和機の運転停止時の外観図。
【図３】同実施例による空気調和機の運転時の外観図。
【図４】同実施例による空気調和機の運転時の別な外観図。
【図５】空気調和機を運転した場合の室内空気の流れ説明図。
【図６】フロントパネルを最大に開放した外観図。
【図７】フロントパネルを取り外し、上部空気吸込みパネルを引きだし、吹出しユニットを開放した外観図。
【図８】上部空気吸込みパネルの説明図。
【図９】上部空気吸込みパネルの側面説明図。
【図１０】上部空気吸込みパネルのスライド時の説明図。
【図１１】単純な平面状の上部空気吸込みパネルの側面説明図。
【図１２】単純な平面状の上部空気吸込みパネルのスライド時の説明図。
【図１３】上部空気吸込みパネルの係合部の別な実施例の側面図。
【図１４】上部空気吸込みパネルの係合部の別な実施例の上面図。
【図１５】従来の空気調和機の上部吸込みパネルの説明図。
【符号の説明】
１…箱体本体、２…化粧カバー本体、３…吹出しユニット、４…フロントパネル、５…上部空気吸込みパネル、６…エアフィルター、７…熱交換器、８…送風機、９…露受皿、１０…吹出し風路、１１…左右風向偏向板、１２…上下風向偏向板、１３…ヒンジ、１４…２軸ヒンジ、１５…パネルガイド、１６…突起、１７…突起受け、１８…緩衝材、１９…角突起、２０…Ｌ状突起受け。
【図１】
2004101149.tif 000003
【図２】
2004101149.tif 000004
【図３】
2004101149.tif 000005
【図４】
2004101149.tif 000006
【図５】
2004101149.tif 000007
【図６】
2004101149.tif 000008
【図７】
2004101149.tif 000009
【図８】
2004101149.tif 000010
【図９】
2004101149.tif 000011
【図１０】
2004101149.tif 000012
【図１１】
2004101149.tif 000013
【図１２】
2004101149.tif 000014
【図１３】
2004101149.tif 000015
【図１４】
2004101149.tif 000016
【図１５】
2004101149.tif 000017